(57)【特許請求の範囲】
【請求項１】
略馬蹄形を左右対称に分割しかつ前後に略均等に分割することにより形成される４つの形状をそれぞれの上面形状とする合成樹脂製の第一板状体（Ａ１）と、第二板状体（Ａ２）と、第三板状体（Ａ３）と、第四板状体（Ａ４）とからなる４つの便座部材と、４つの便座部材が略馬蹄形の便座を形成するように便座部材間を連結するヒンジ部（４）とからなる幼児用便座（Ａ）であって、
前記ヒンジ部（４）は、第一板状体（Ａ１）と第二板状体（Ａ２）とを連結する第一ヒンジ部（４ａ）と、第二板状体（Ａ２）と第三板状体（Ａ３）とを連結する第二ヒンジ部（４ｂ）と、第三板状体（Ａ３）と第四板状体（Ａ４）とを連結する第三ヒンジ部（４ｃ）からなり、第一ヒンジ部（４ａ）及び第三ヒンジ部（４ｃ）の回転軸は、同一の方向であり、かつ、第二ヒンジ部（４ｂ）の回転軸は、第一ヒンジ部（４ａ）及び第三ヒンジ部（４ｃ）の回転軸と垂直であり、
第一ヒンジ部（４ａ）、第二ヒンジ部（４ｂ）及び第三ヒンジ部（４ｃ）は、使用状態で幼児用便座（Ａ）の下面より突出するように形成され、
４つの便座部材（Ａ１、Ａ２、Ａ３、Ａ４）のそれぞれの下面には、凹入部（６）が形成され、
使用状態のときには、各便座部材（Ａ１、Ａ２、Ａ３、Ａ４）は、互いに上面どうしが一平面となるように展開されて略馬蹄形の幼児用便座（Ａ）が組み立てられ、
折り畳み状態のときには、各便座部材（Ａ１、Ａ２、Ａ３、Ａ４）は、互いに重ね合うことにより、平面視で１つの便座部材の面積とされ、
幼児用便座（Ａ）を大人用の便座に載置したときに３つのヒンジ部（４ａ、４ｂ、４ｃ）の突出部分が大人用の便座の中央に形成されている開口の周壁に当接することにより、幼児用便座（Ａ）の載置される位置が規制され、
大人用の便座に載置して使用するとともに、４つの便座部材（Ａ１、Ａ２、Ａ３、Ａ４）の各凹入部（６）に囲壁部材（Ｂ１、Ｂ２、Ｂ３、Ｂ４）が挿入されることにより、幼児用便座（Ａ）付きの便器として使用可能に構成したことを特徴とする幼児用便座。
【請求項２】
幼児用便座（Ａ）及び囲壁（Ｂ）からなる幼児用便器であって、
幼児用便座（Ａ）は、略馬蹄形を左右対称に分割しかつ前後に略均等に分割することにより形成される４つの形状をそれぞれの上面形状とする合成樹脂製の４つの便座部材（Ａ１、Ａ２、Ａ３、Ａ４）と、４つの便座部材が略馬蹄形の便座を形成するように便座部材間を連結するヒンジ部（４）とからなり、
囲壁（Ｂ）は、凹入部（６）に挿入される端部（７）を有する囲壁部材（Ｂ１、Ｂ２、Ｂ３、Ｂ４）からなり、
各便座部材（Ａ１、Ａ２、Ａ３、Ａ４）の凹入部（６）は、隣接する便座部材間を連結するヒンジ部（４ａ、４ｂ、４ｃ）を挟んで直線状に並ぶように形成され、
囲壁部材（Ｂ１、Ｂ２、Ｂ３、Ｂ４）には、端部（７）を凹入部（６）に挿入したときにヒンジ部（４ａ、４ｂ、４ｃ）との干渉を避ける切り欠き部（８）が形成され、
使用状態のときには、各便座部材（Ａ１、Ａ２、Ａ３、Ａ４）は、互いに上面どうしが一平面となるように展開されて、各便座部材（Ａ１、Ａ２、Ａ３、Ａ４）の各凹入部（６）に囲壁部材（Ｂ１、Ｂ２、Ｂ３、Ｂ４）の端部（７）が挿入されることにより、囲壁部材（Ｂ１、Ｂ２、Ｂ３、Ｂ４）の上に幼児用便座（Ａ）が載置された形状に組み立てられ、
折り畳み状態のときには、各便座部材（Ａ１、Ａ２、Ａ３、Ａ４）は、互いに重ね合うことにより、平面視で１つの便座部材の面積とされるようにしたことを特徴とする幼児用便器。
【請求項３】
囲壁（Ｂ）は、第一囲壁部材（Ｂ１）と、第二囲壁部材（Ｂ２）と、第三囲壁部材（Ｂ３）と、第四囲壁部材（Ｂ４）とからなるとともに、これら４つの囲壁部材がプラスチックダンボール又はダンボール紙で形成され、
第一囲壁部材（Ｂ１）と第二囲壁部材（Ｂ２）との間、第二囲壁部材（Ｂ２）と第三囲壁部材（Ｂ３）との間、第三囲壁部材（Ｂ３）と第四囲壁部材（Ｂ４）との間、および第四囲壁部材（Ｂ４）と第一囲壁部材（Ｂ１）との間がそれぞれ折り畳み可能に接続されることを特徴とする請求項２に記載の幼児用便器。
【発明の詳細な説明】
【技術分野】
【０００１】
本発明は、洋式便器上に載置して使用するとともに、屋外に携帯して使用する幼児用便座および幼児用便器に関する。
【背景技術】
【０００２】
家庭内の洋式トイレでは、便座付きの便器が利用されているが、通常の便座は大人が使用することを前提として設計されているため、幼児が使用するには大きすぎて使いづらい。そのため、幼児用補助便座として、大人用便座に取り付けて使用されるものが市販されている（例えば、特許文献１参照）。
【０００３】
また、従来の携帯用便器として、折り畳み可能なダンボール紙製のものが知られている。これらの携帯用便器は、携帯時には小さく折り畳まれている。野外での使用時には、箱状に組み立てることにより、便器本体が形成される。そして、組み立てた便器本体内にビニール袋やポリ袋等の遮水性の収容袋を入れ、さらに、この収容袋の内部に、給水するとゲル化する給水パックを入れて使用する。そして、用済み後に収容袋を密封して廃棄するようにしていた。
【０００４】
しかしながら、このような携帯用便器は、ダンボール紙製であるため、機械的強度が不足していた。すなわち、携帯用便器に人体の荷重を掛けると、携帯用便器が変形し、座屈した。そのため、携帯用便器に大きな体重を掛けないようにして使用しなければならなかった。
【０００５】
そこで、便器に体重が掛けられても変形したり座屈したりすることのない機械的強度を有する携帯用合成樹脂製便器が開発されている（例えば、特許文献２参照）。
【特許文献１】特開平０７−２３１８６１号公報
【特許文献２】特許３３７１２４１号
【発明の開示】
【発明が解決しようとする課題】
【０００６】
上述したように、従来から幼児用の補助便座が市販されているが、それらは家庭内の洋式トイレ等で大人用の便座に取り付けて用いるものであり、幼児用補助便座を携帯して野外で使用したり、災害時に臨時の幼児用トイレとして使用したりすることは考えられていなかった。
【０００７】
そこで、本発明は、家庭内の洋式トイレで幼児用補助便座として使用でき、家庭内トイレでの保管時や外出の際の携帯時には便座を小さな状態とすることができ、さらに、野外での使用時には、体重が掛けられても変形したり座屈したりすることのない機械的強度を有する携帯用便器として使用できる幼児用便座および幼児用便器を提供することを目的とする。
【課題を解決するための手段】
【０００８】
上記課題を解決するためになされた本発明の幼児用便座は、略馬蹄形を左右対称に分割しかつ前後に略均等に分割することにより形成される４つの形状をそれぞれの上面形状とする合成樹脂製の第一板状体（Ａ１）と、第二板状体（Ａ２）と、第三板状体（Ａ３）と、第四板状体（Ａ４）とからなる４つの便座部材と、４つの便座部材が略馬蹄形の便座を形成するように便座部材間を連結するヒンジ部（４）とからなる幼児用便座（Ａ）であって、前記ヒンジ部（４）は、第一板状体（Ａ１）と第二板状体（Ａ２）とを連結する第一ヒンジ部（４ａ）と、第二板状体（Ａ２）と第三板状体（Ａ３）とを連結する第二ヒンジ部（４ｂ）と、第三板状体（Ａ３）と第四板状体（Ａ４）とを連結する第三ヒンジ部（４ｃ）からなり、第一ヒンジ部（４ａ）及び第三ヒンジ部（４ｃ）の回転軸は、同一の方向であり、かつ、第二ヒンジ部（４ｂ）の回転軸は、第一ヒンジ部（４ａ）及び第三ヒンジ部（４ｃ）の回転軸と垂直であり、第一ヒンジ部（４ａ）、第二ヒンジ部（４ｂ）及び第三ヒンジ部（４ｃ）は、使用状態で幼児用便座（Ａ）の下面より突出するように形成され、４つの便座部材（Ａ１、Ａ２、Ａ３、Ａ４）のそれぞれの下面には、凹入部（６）が形成され、使用状態のときには、各便座部材（Ａ１、Ａ２、Ａ３、Ａ４）は、互いに上面どうしが一平面となるように展開されて略馬蹄形の幼児用便座（Ａ）が組み立てられ、折り畳み状態のときには、各便座部材（Ａ１、Ａ２、Ａ３、Ａ４）は、互いに重ね合うことにより、平面視で１つの便座部材の面積とされ、幼児用便座（Ａ）を大人用の便座に載置したときに３つのヒンジ部（４ａ、４ｂ、４ｃ）の突出部分が大人用の便座の中央に形成されている開口の周壁に当接することにより、幼児用便座（Ａ）の載置される位置が規制され、大人用の便座に載置して使用するとともに、４つの便座部材（Ａ１、Ａ２、Ａ３、Ａ４）の各凹入部（６）に囲壁部材（Ｂ１、Ｂ２、Ｂ３、Ｂ４）が挿入されることにより、幼児用便座（Ａ）付きの便器として使用可能に構成している。
【０００９】
ここで、略馬蹄形とは、長円等の環状形状を基本とし、環状形状の一部分が切れて分離している形状をいう。略馬蹄形は洋式便器の便座として一般的に用いられている便座形状であり、文字通りの馬蹄形とともに、例えば、Ｕ字形状、さらには楕円形状や卵型形状の一端を切り欠いた形状等も含まれる。
【発明の効果】
【００１０】
本発明の幼児用便座によれば、折り畳み状態のときには、４つの便座部材は、互いに重ね合うことにより、平面視で１つの便座部材の面積となるので、家庭内トイレでの保管時には、小さな状態にして保管することができる。さらに、外出先トイレへの携帯時には、便座のみを小さな状態で携帯することができる。そして、便座は４つの便座部材を連結するヒンジ部を有するので、折り畳み状態から瞬時に組み立てることができる。
また、野外への携帯時には、便座を小さな状態で携帯するとともに囲壁を携帯する。そして、野外での使用時には、囲壁部材の端部が、４つの便座部材の凹入部に挿入されることにより、体重が掛けられても変形したり座屈したりすることのない機械的強度を有する幼児用便器（おまる）として使用できる。
【００１１】
また、本発明の幼児用便座では、便座（Ａ）は、第一板状体（Ａ１）と、第二板状体（Ａ２）と、第三板状体（Ａ３）と、第四板状体（Ａ４）とからなり、第一板状体（Ａ１）と第二板状体（Ａ２）とは第一ヒンジ部（４ａ）で連結され、第二板状体（Ａ２）と第三板状体（Ａ３）とは第二ヒンジ部（４ｂ）で連結され、第三板状体（Ａ３）と第四板状体（Ａ４）とは第三ヒンジ部（４ｃ）で連結され、第一ヒンジ部（４ａ）及び第三ヒンジ部（４ｃ）の回転軸は、同一の方向であり、かつ、第二ヒンジ部（４ｂ）の回転軸は、第一ヒンジ部（４ａ）及び第三ヒンジ部（４ｃ）の回転軸と垂直であるようにしてある。
したがって、第一ヒンジ部及び第三ヒンジ部の回転軸は、同一の方向であり、かつ、第二ヒンジ部の回転軸は、第一ヒンジ部及び第三ヒンジ部の回転軸と垂直であるので、平面視で便座の面積の１／４の状態で保管したり、携帯したりすることができる。
【００１２】
また、本発明の幼児用便座では、第一ヒンジ部（４ａ）、第二ヒンジ部（４ｂ）及び第三ヒンジ部（４ｃ）は、使用状態で幼児用便座（Ａ）の下面より突出するように形成され、幼児用便座（Ａ）を大人用の便座に載置したときに３つのヒンジ部（４ａ、４ｂ、４ｃ）の突出部分が大人用の便座の中央に形成されている開口の周壁に当接することにより、幼児用便座（Ａ）の載置される位置が規制されるようにしてある。
【００１３】
したがって、大人用便座に載置する際に、第一ヒンジ部、第二ヒンジ部及び第三ヒンジ部の突出部分を大人用便座の開口に挿入することにより、幼児用便座の載置する位置が制限され、幼児用便座を大人用便座上の適切な位置に載置できる。
【００１４】
また、上記課題を解決するためになされた本発明の幼児用便器は、幼児用便座（Ａ）および囲壁（Ｂ）からなる幼児用便器であって、幼児用便座（Ａ）は、略馬蹄形を左右対称に分割しかつ前後に略均等に分割することにより形成される４つの形状をそれぞれの上面形状とする合成樹脂製の４つの便座部材（Ａ１、Ａ２、Ａ３、Ａ４）と、４つの便座部材が略馬蹄形の便座を形成するように便座部材間を連結するヒンジ部（４）とからなり、囲壁（Ｂ）は、凹入部（６）に挿入される端部（７）を有する囲壁部材（Ｂ１、Ｂ２、Ｂ３、Ｂ４）からなり、各便座部材（Ａ１、Ａ２、Ａ３、Ａ４）の凹入部（６）は、隣接する便座部材間を連結するヒンジ部（４ａ、４ｂ、４ｃ）を挟んで直線状に並ぶように形成され、囲壁部材（Ｂ１、Ｂ２、Ｂ３、Ｂ４）には、端部（７）を凹入部（６）に挿入したときにヒンジ部（４ａ、４ｂ、４ｃ）との干渉を避ける切り欠き部（８）が形成され、使用状態のときには、各便座部材（Ａ１、Ａ２、Ａ３、Ａ４）は、互いに上面どうしが一平面となるように展開されて、各便座部材（Ａ１、Ａ２、Ａ３、Ａ４）の各凹入部（６）に囲壁部材（Ｂ１、Ｂ２、Ｂ３、Ｂ４）の端部（７）が挿入されることにより、囲壁部材（Ｂ１、Ｂ２、Ｂ３、Ｂ４）の上に幼児用便座（Ａ）が載置された形状に組み立てられ、折り畳み状態のときには、各便座部材（Ａ１、Ａ２、Ａ３、Ａ４）は、互いに重ね合うことにより、平面視で１つの便座部材の面積とされるようにしている。
【００１５】
本発明の幼児用便器によれば、便座（Ａ）を形成する４つの便座部材（Ａ１、Ａ２、Ａ３、Ａ４）は、互いに重ね合うことにより、平面視で１つの便座部材の面積（使用状態である略馬蹄形に展開したときの約１／４）となるので、小さな状態で保管することができる。そして、便座は４つの便座部材を連結するヒンジ部を有するので、瞬時に組み立てることができる。また、野外への携帯時には、便座を小さな状態で携帯するとともに囲壁を携帯する。そして、野外での使用時には、囲壁部材の端部が、４つの便座部材の凹入部に挿入されることにより、体重が掛けられても変形したり座屈したりすることのない機械的強度を有する幼児用便器（おまる）として使用できる。
【００１６】
また、本発明の幼児用便器では、各便座部材（Ａ１、Ａ２、Ａ３、Ａ４）の凹入部（６）は、隣接する便座部材間を連結するヒンジ部（４ａ、４ｂ、４ｃ）を挟んで直線状に並ぶように形成され、囲壁部材（Ｂ１、Ｂ２、Ｂ３、Ｂ４）には、端部（７）を凹入部（６）に挿入したときにヒンジ部（４ａ、４ｂ、４ｃ）との干渉を避ける切り欠き部（８）が形成されるようにしてある。
したがって、本発明の幼児用便器によれば、囲壁部材（Ｂ１、Ｂ２、Ｂ３、Ｂ４）には、ヒンジ部（４ａ、４ｂ、４ｃ）との干渉を避ける切り欠き部（８）が形成されているので、端部（７）を凹入部（６）に挿入したときに、ヒンジ部（４ａ、４ｂ、４ｃ）を挟んで隣接する便座部材どうしを１つの囲壁部材にて支持することになる。これにより、囲壁部材がヒンジ部の回転を制限することとなり、隣接する便座部材を一定形状のまま支持することができる。
【００１７】
また、上記発明において、囲壁（Ｂ）は、第一囲壁部材（Ｂ１）と、第二囲壁部材（Ｂ２）と、第三囲壁部材（Ｂ３）と、第四囲壁部材（Ｂ４）とからなるとともに、これら４つの囲壁部材がプラスチックダンボール又はダンボール紙で形成され、第一囲壁部材（Ｂ１）と第二囲壁部材（Ｂ２）との間、第二囲壁部材（Ｂ２）と第三囲壁部材（Ｂ３）との間、第三囲壁部材（Ｂ３）と第四囲壁部材（Ｂ４）との間、および第四囲壁部材（Ｂ４）と第一囲壁部材（Ｂ１）との間がそれぞれ折り畳み可能に接続されてもよい。
本発明の幼児用便器によれば、囲壁（Ｂ）は、プラスチックダンボール又はダンボール紙で形成されることにより、幼児の体重が加えられても囲壁（Ｂ）は座屈しない程度の強度を持つようにすることができ、また、折り畳み部分（折り目部分）を形成できるので、囲壁（Ｂ）を、使用状態のときには、平面視で立体形状（例えば直方体形状）とし、折り畳み状態のときには、平面視で平面形状（例えば長方形平板形状）とすることができる。つまり、囲壁（Ｂ）を、非使用時は畳んでおき、必要になったときに瞬時に組み立てることができる。
【発明を実施するための最良の形態】
【００１８】
以下、本発明の幼児用便座および幼児用便器の一実施形態について図面に基づいて説明する。図１〜図６は、本発明の幼児用便座の一例を示す図である。図１は、使用状態（展開状態）の便座を示す正面図であり、図２は、図１に示す便座の背面図であり、図３は、図１に示す便座の側面図である。また、図４は、折り畳み状態の便座を示す斜視図であり、図５は、２つ折り状態の便座の背面図である。そして、図６は、図１に示す便座を大人用便座に載置する一例を示す図である。
【００１９】
便座Ａは、第一板状体Ａ１と、第二板状体Ａ２と、第三板状体Ａ３と、第四板状体Ａ４とからなり、第一板状体Ａ１と第二板状体Ａ２とを連結する第一ヒンジ部４ａと、第二板状体Ａ２と第三板状体Ａ３とを連結する第二ヒンジ部４ｂと、第三板状体Ａ３と第四板状体Ａ４とを連結する第三ヒンジ部４ｃとにより、馬蹄形状に連結されている。
【００２０】
第一板状体Ａ１、第二板状体Ａ２、第三板状体Ａ３及び第四板状体Ａ４は、合成樹脂で形成される。第一板状体Ａ１と第二板状体Ａ２と第三板状体Ａ３と第四板状体Ａ４とのそれぞれの長手方向の長さは、ほとんど同じであり、かつ、第一板状体Ａ１と第二板状体Ａ２と第三板状体Ａ３と第四板状体Ａ４とのそれぞれの幅方向（長手方向に垂直な方向）の長さも、ほとんど同じである。つまり、第一板状体Ａ１、第二板状体Ａ２、第三板状体Ａ３及び第四板状体Ａ４は、便座Ａをほぼ４等分する。なお、第一板状体Ａ１と第四板状体Ａ４とは、ほぼ鏡像の関係にあり、かつ、第二板状体Ａ２と第三板状体Ａ３とは、ほぼ鏡像の関係にある。
【００２１】
また、４つの板状体の上面（幼児が座る面）はほぼ平らであり、展開状態にしたときに４つが同一の馬蹄形状の平面をなすようにしてある。そして、各板状体の下面（便器に接する面）の周縁部に肉厚部１１を設けるとともに、下面の内側に平面視でＬ字状の凸部１２、１３を平行に２つ形成することにより、平面視でＬ字状の凹入部６を設けている。なお、肉厚部１１の高さと凸部１２、１３の高さとは、同じにしてある。
さらに、第二板状体Ａ２及び第三板状体Ａ３は、外周側の角部に半円形状の開口を有する係合リング２ａ、２ｂを形成してある。
【００２２】
第一ヒンジ部４ａ、第二ヒンジ部４ｂ及び第三ヒンジ部４ｃは、１８０度に回動可能としてある。第一ヒンジ部４ａ及び第三ヒンジ部４ｃの回転軸は、同一の方向である。また、第二ヒンジ部４ｂの回転軸は、第一ヒンジ部４ａ及び第三ヒンジ部４ｃの回転軸と垂直である。なお、第一ヒンジ部４ａ、第二ヒンジ部４ｂ及び第三ヒンジ部４ｃは、第一板状体Ａ１等に一体的に形成された軸受け開口に連結軸が通されることにより、１８０度で回動自在に構成されたものである。
【００２３】
図１に示すように、使用状態（展開状態）のときには、便座Ａは、第一板状体Ａ１、第二板状体Ａ２、第三板状体Ａ３及び第四板状体Ａ４が、４つの上面を一の平面となるようにしてある。また、一の平面の中央には、略長円形状の開口を有する。このとき、第一板状体Ａ１と第四板状体Ａ４との間には、所定の距離（例えば２５ｍｍ〜３０ｍｍ）の隙間９が設けられるように形成され、全体として馬蹄形の便座が形成されるようにしている。
また、図３に示すように、展開状態の便座Ａは、第一ヒンジ部４ａ、第二ヒンジ部４ｂ及び第三ヒンジ部４ｃを、下面より下側に突出させてある。
【００２４】
さらに、図２に示すように、展開状態の便座Ａは、隣接する板状体（Ａ１、Ａ２、Ａ３、Ａ４）のそれぞれの下面に形成されたＬ字状の凹入部６の位置関係が、ヒンジ部（４ａ、４ｂ、４ｃ）および隙間９を挟んで、互いに鏡像関係になるようにすることにより、平面視で四角形状となる凹入部６を形成するようにしている。すなわち、隣接する２つの板状体に形成される凹入部６は、ヒンジ部（４ａ、４ｂ、４ｃ）および隙間９を挟んで、直線状に並ぶように形成してある。このとき、四角形状の凹入部６は、例えば、便座Ａの外周よりも少し内側の位置（例えば３０ｍｍ程度内側寄りの位置）に設けられる。
また、第一ヒンジ部４ａと第二ヒンジ部４ｂと第三ヒンジ部４ｃにおいて、板状体（Ａ１、Ａ２、Ａ３、Ａ４）の下面よりも突出した部分は、大人用便座の中央の開口に挿入されることにより、大人用便座上で載置位置が規制されるようにしてある。
【００２５】
一方、図４に示すように、折り畳み状態のときには、第一板状体Ａ１、第二板状体Ａ２、第三板状体Ａ３及び第四板状体Ａ４は、互いに重ね合うことにより、便座Ａは展開状態での便座Ａの面積の１／４の面積となる。このとき、第二板状体Ａ２、第一板状体Ａ１、第四板状体Ａ４、第三板状体Ａ３の順に積層される。よって、係合リング２ａ、２ｂを有する第二板状体Ａ２及び第三板状体Ａ３は、外側に配置されるので、トイレの壁等に打ち付けたフックや釘等に係合リング２ａ、２ｂを掛けることにより、大人が便器を使用する際に便座Ａを吊り下げておくことを可能とする。
【００２６】
上記第一板状体、第二板状体、第三板状体及び第四板状体を形成する材料としては、例えば、ポリ塩化ビニール（ＰＶＣ）樹脂、ポリプロピレン（ＰＰ）樹脂やポリエチレン（ＰＥ）樹脂等のポリオレフィン系樹脂等が挙げられる。
上記第一ヒンジ部、第二ヒンジ部及び第三ヒンジ部を形成する材料としては、例えば、ポリ塩化ビニール（ＰＶＣ）樹脂、ポリプロピレン（ＰＰ）樹脂やポリエチレン（ＰＥ）樹脂等のポリオレフィン系樹脂等が挙げられる。
【００２７】
ここで、本発明の幼児用便座を、大人用の便座上に載置して幼児用補助便座として使用する方法の一例について説明する。まず、トイレの壁等に吊り下げられたり、携帯したりしてきた折り畳み状態の便座Ａを取り出す（図４参照）。次に、第一板状体Ａ１の上面と第四板状体Ａ４の上面とを分けるように、第二ヒンジ部４ｂを１８０度回転させることにより、２つ折り状態の便座Ａとする（図５参照）。次に、第一板状体Ａ１の下面と第二板状体Ａ２の下面とを分けるように、第一ヒンジ部４ａを１８０度回転させるとともに、第三板状体Ａ３の下面と第四板状体Ａ４の下面とを分けるように、第三ヒンジ部４ｃを１８０度回転させることにより、展開状態の便座Ａとする（図１〜３参照）。最後に、展開状態の便座Ａを、上面を上にして、第一ヒンジ部４ａ、第二ヒンジ部４ｂ及び第三ヒンジ部４ｃを大人用便座の開口に挿入することにより、大人用便座に載置する（図６参照）。
【００２８】
次に、展開状態の便座を折り畳み状態の便座にする方法の一例を説明する。まず、第一板状体Ａ１の下面と第二板状体Ａ２の下面とを重ね合わせるように、第一ヒンジ部４ａを１８０度回転させるとともに、第三板状体Ａ３の下面と第四板状体Ａ４の下面とを重ね合わせるように、第三ヒンジ部４ｃを１８０度回転させることにより、２つ折り状態の便座Ａとする（図５参照）。このときヒンジ部４ｂは隙間９の位置にくる。次に、第一板状体Ａ１の上面と第四板状体Ａ４の上面とを重ね合わせるように、第二ヒンジ部４ｂを１８０度回転させることにより、折り畳み状態の便座Ａとする。最後に、折り畳み状態の便座Ａを、トイレの壁のフックや釘等に吊り下げたり、携帯したりする（図４参照）。
【００２９】
（第一実施形態の幼児用便器）
次に、第一実施形態の幼児用便器について説明する。図７〜図９は、幼児用便座と囲壁とからなる幼児用便器の一例を示す図である。図７は、組み立て状態の幼児用便器を示す斜視図であり、図８は、便座と４つの囲壁部材とを分解した状態の幼児用便器を示す分解斜視図であり、図９は、折り畳み状態の囲壁を示す断面図である。
【００３０】
幼児用便器は、便座Ａと囲壁Ｂｃとからなる。なお、便座Ａは、図１〜図６を用いて説明したものと同様である。囲壁Ｂｃは、第一囲壁部材Ｂ１ｃと、第二囲壁部材Ｂ２ｃと、第三囲壁部材Ｂ３ｃと、第四囲壁部材Ｂ４ｃとからなる。これら４つの囲壁部材は、平らな板状体形状を有し、このうち、第一囲壁部材Ｂ１ｃと第三囲壁部材Ｂ３ｃとの長手方向の長さは、馬蹄形の便座Ａの長手方向に対応させて、第二囲壁部材Ｂ２ｃと第四囲壁部材Ｂ４ｃとの長手方向の長さより長くしてある。
なお、第一囲壁部材Ｂ１ｃと第三囲壁部材Ｂ３ｃ、および第二囲壁部材Ｂ２ｃと第四囲壁部材Ｂ４ｃとは、ほぼ鏡像の関係にある。また、囲壁部材の板状体の厚さは、凹入部６の溝幅とほぼ同じにしてある。また、高さ方向は同じ長さである。
【００３１】
第一囲壁部材Ｂ１ｃと第二囲壁部材Ｂ２ｃとは結合され、第二囲壁部材Ｂ２ｃと第三囲壁部材Ｂ３ｃとは結合され、第三囲壁部材Ｂ３ｃと第四囲壁部材Ｂ４ｃとは結合され、第四囲壁部材Ｂ４ｃと第一囲壁部材Ｂ１ｃとは結合されている。また、囲壁Ｂｃは、プラスチックダンボール又はダンボール紙で形成される。つまり、プラスチックダンボール又はダンボール紙で形成することにより、囲壁部材同士の接続部分には、折り曲げ可能に折り目Ｓを形成しているを付与している。折り目Ｓはプラスチックダンボールのときは切れ目を形成するようにし、ダンボール紙のときは予め折り曲げておくことで折り目とする。
【００３２】
これにより、展開したときに平面視で立体形状である四角形状の囲壁Ｂが形成される。また、折り畳むことにより、図９に示すように、コンパクトな平面形状で収納し、携帯することができる。よって、折り畳み状態の便座Ａおよび囲壁Ｂｃを、自動車等によりキャンプ場等の野外に容易に持ち運ぶことができるようになっている。また、災害時等の緊急用として収納しやすいようにしてある。
【００３３】
また、第一囲壁部材Ｂ１ｃ、第二囲壁部材Ｂ２ｃ、第三囲壁部材Ｂ３ｃ、及び第四囲壁部材Ｂ４ｃの端部７ｃは、便座Ａの凹入部６に挿入できるようにしてある。つまり、端部７ｃの中央の切り欠き部８ｃが形成されることにより第一ヒンジ部４ａ、第二ヒンジ部４ｂ及び第三ヒンジ部４ｃを避けて、凹入部６に挿入できるようにしてある。
なお、第四囲壁部材Ｂ４ｃについては、避けるべきヒンジ部がないので、切り欠き部８ｃは不要であるが、第二囲壁部材Ｂ２ｃと互換性を持たせるために（第二囲壁部材Ｂ２ｃと第四囲壁部材Ｂ４ｃとが入れ替わることができるようにするため）、これと同じ切り欠き部８ｃを設けてある。
このようにして、第一囲壁部材Ｂ１ｃ、第二囲壁部材Ｂ２ｃ、第三囲壁部材Ｂ３ｃ及び第四囲壁部材Ｂ４ｃの端部７ｃが凹入部６に挿入されることで、便座Ａと囲壁Ｂｃとが一体となった便器が形成されることになる。このとき、四角形状の凹入部６は、便座Ａの外周よりも少し内側の位置に設けられるので、囲壁Ｂは、プラスチックダンボール又はダンボール紙で形成されていても、機械的強度を確保している。
【００３４】
上記第一囲壁部材、第二囲壁部材、第三囲壁部材及び第四囲壁部材を形成する材料としては、例えば、ポリ塩化ビニール（ＰＶＣ）樹脂、ポリプロピレン（ＰＰ）樹脂やポリエチレン（ＰＥ）樹脂等のポリオレフィン系樹脂、紙等が挙げられる。
【００３５】
ここで、幼児用便器（おまる）として使用する方法の一例について説明する。まず、車等により運んできた折り畳み状態の便座Ａ（図４参照）および囲壁Ｂｃ（図９参照）を取り出す。次に、便座Ａを展開状態にする。次に、折り畳み状態の囲壁Ｂｃを、平面視で直方体形状となるように、展開状態にする（図８参照）。次に、展開状態の囲壁Ｂｃ本体内にビニール袋やポリ袋等の遮水性の収容袋を入れる。次に、下面の凹入部６に第一囲壁部材Ｂ１ｃ、第二囲壁部材Ｂ２ｃ、第三囲壁部材Ｂ３ｃ及び第四囲壁部材Ｂ４ｃの端部７ｃを挿入することにより、幼児用便器を組み立てる（図７参照）。
【００３６】
このとき、四角形状の囲壁Ｂｃの４つの角の底部に、４つの固定部材を取り付けてもよい。図１１は、固定部材の一例の斜視図である。固定部材１０は、平面視で、Ｌ字形状をするとともに、中央にＬ字形状の凹部を有する。また、Ｌ字形状の凹部の側面の断面は、上部は狭くなるとともに、底部は広くなっている。つまり、囲壁Ｂｃの一の角の底部を凹部に挿入することにより、凹部の上部が広がるので、より固定することができる。さらに、固定部材１０の側面の断面は、凹部の底部から下方向に所定の高さを設けるとともに、固定部材１０を形成する材料として遮水性を有するものを用いることにより、囲壁Ｂ（特にダンボール紙の場合）に水が浸透することを防止することができる。
【００３７】
次に、組み立て状態の幼児用便器を折り畳み状態にする方法の一例を説明する。まず、展開状態の便座Ａの下面の凹入部６を、第一囲壁部材Ｂ１ｃ、第二囲壁部材Ｂ２ｃ、第三囲壁部材Ｂ３ｃ及び第四囲壁部材Ｂ４ｃの端部７ｃから取り外す（図８参照）。次に、収容袋を取り出して廃棄する。次に、囲壁Ｂも、廃棄する。次に、便座Ａについて、既述の手順で折り畳み状態にする。最後に、折り畳み状態の便座Ａを、携帯する。
【００３８】
（第二実施形態の幼児用便器）
次に、第二実施形態の幼児用便器について説明する。図１１〜図１３は、幼児用便座と囲壁とからなる幼児用便器の他の一例を示す図である。図１１は、組み立て状態の幼児用便器を示す斜視図であり、図１２は、便座と４つの囲壁部材とを分解した状態の幼児用便器を示す分解斜視図であり、図１３は、折り畳み状態の囲壁を示す側面図である。
【００３９】
幼児用便器は、便座Ａと囲壁Ｂとからなる。なお、便座Ａは、図１〜図６を用いて説明したものと同様である。囲壁Ｂは、第一囲壁部材Ｂ１と、第二囲壁部材Ｂ２と、第三囲壁部材Ｂ３と、第四囲壁部材Ｂ４とからなる。これら４つの囲壁部材は、平らな板状体形状を有し、このうち、第一囲壁部材Ｂ１と第三囲壁部材Ｂ３との長手方向の長さは、馬蹄形の便座Ａの長手方向に対応させて、第二囲壁部材Ｂ２と第四囲壁部材Ｂ４との長手方向の長さより長くしてある。
なお、第一囲壁部材Ｂ１と第三囲壁部材Ｂ３、および第二囲壁部材Ｂ２と第四囲壁部材Ｂ４とは、ほぼ鏡像の関係にある。また、囲壁部材の板状体の厚さは、凹入部６の溝幅とほぼ同じにしてある。また、高さ方向は同じ長さである。
【００４０】
第二囲壁部材Ｂ２は、中央で囲壁部材Ｂ２ａと囲壁部材Ｂ２ｂとに２分割され、これら２つの囲壁部材Ｂ２ａ、Ｂ２ｂ間は、ヒンジ機構で連結されている。同様に、第四囲壁部材Ｂ４についても、中央で囲壁部材Ｂ４ａと囲壁部材Ｂ４ｂとに２分割され、これら２つの囲壁部材Ｂ４ａ、Ｂ４ｂ間はヒンジ機構で連結されている。
【００４１】
また、４つの囲壁部材Ｂ１〜Ｂ４は、それぞれの両端がヒンジ機構により、隣接する囲壁部材に連結されており、展開したときに平面視で四角形状の囲壁Ｂが形成されるようにしてある。また、折り畳むことにより、図１３に示すように、コンパクトな形状で収納し、携帯することができるようにしてある。よって、折り畳み状態の便座Ａおよび囲壁Ｂを、自動車等によりキャンプ場等の野外に容易に持ち運ぶことができるようになっている。
【００４２】
また、第一囲壁部材Ｂ１、第二囲壁部材Ｂ２、第三囲壁部材Ｂ３、及び第四囲壁部材Ｂ４の端部７は、便座Ａの凹入部６に挿入できるようにしてある。つまり、端部７の中央の切り欠き部８が形成されることにより第一ヒンジ部４ａ、第二ヒンジ部４ｂ及び第三ヒンジ部４ｃを避けて、凹入部６に挿入できるようにしてある。
なお、第四囲壁部材Ｂ４については、避けるべきヒンジ部がないので、切り欠き部８は不要であるが、第二囲壁部材Ｂ２と互換性を持たせるために（第二囲壁部材Ｂ２と第四囲壁部材Ｂ４とが入れ替わることができるようにするため）、これと同じ切り欠き部８を設けてある。
このようにして、第一囲壁部材Ｂ１、第二囲壁部材Ｂ２、第三囲壁部材Ｂ３及び第四囲壁部材Ｂ４の端部７が凹入部６に挿入されることで、便座Ａと囲壁Ｂとが一体となった便器が形成されることになる。
【００４３】
上記第一囲壁部材、第二囲壁部材、第三囲壁部材及び第四囲壁部材を形成する材料としては、例えば、ポリ塩化ビニール（ＰＶＣ）樹脂、ポリプロピレン（ＰＰ）樹脂やポリエチレン（ＰＥ）樹脂等のポリオレフィン系樹脂等が挙げられる。
【００４４】
ここで、幼児用便器（おまる）として使用する方法の一例について説明する。まず、車等により運んできた折り畳み状態の便座Ａ（図４参照）および囲壁Ｂ（図１３参照）を取り出す。次に、便座Ａを展開状態にし、下面の凹入部６に第一囲壁部材Ｂ１、第二囲壁部材Ｂ２、第三囲壁部材Ｂ３及び第四囲壁部材Ｂ４の端部７を挿入することにより、幼児用便器を組み立てる（図１１参照）。
【００４５】
次に、組み立て状態の幼児用便器を折り畳み状態にする方法の一例を説明する。まず、展開状態の便座Ａの下面の凹入部６から、第一囲壁部材Ｂ１、第二囲壁部材Ｂ２、第三囲壁部材Ｂ３及び第四囲壁部材Ｂ４の端部７を取り外す（図１２参照）。次に、第二囲壁部材Ｂ２と第四囲壁部材Ｂ４について中央のヒンジ機構で折り畳むことにより、囲壁Ｂを折り畳み状態にする（図１３参照）。便座Ａについても、既述の手順で折り畳み状態にする。最後に、折り畳み状態の便座Ａおよび囲壁Ｂを、車等に乗せる。
【産業上の利用可能性】
【００４６】
本発明は、幼児用補助便座および携帯用便器（おまる）として使用できる幼児用便座および幼児用便器に利用することができる。
【図面の簡単な説明】
【００４７】
【図１】本発明の一実施形態である展開状態の便座を示す正面図である。
【図２】図１に示す便座の背面図である。
【図３】図１に示す便座の側面図である。
【図４】折り畳み状態の便座を示す斜視図である。
【図５】２つ折り状態の便座の背面図である。
【図６】図１に示す便座を大人用便座に載置する一例を示す図である。
【図７】組み立て状態の幼児用便器の一例を示す斜視図である。
【図８】便座と４つの囲壁部材を分解した状態の幼児用便器の一例を示す斜視図である。
【図９】折り畳み状態の囲壁の一例を示す断面図である。
【図１０】固定部材の一例の斜視図である。
【図１１】組み立て状態の幼児用便器の他の一例を示す斜視図である。
【図１２】便座と４つの囲壁部材を分解した状態の幼児用便器の他の一例を示す斜視図である。
【図１３】折り畳み状態の囲壁の他の一例を示す側面図である。
【符号の説明】
【００４８】
Ａ  囲壁
Ｂ  便座
２  係合リング
４  ヒンジ部
６  凹入部
７  端部凸部
【図１】
0004767060.tif 000002
【図２】
0004767060.tif 000003
【図３】
0004767060.tif 000004
【図４】
0004767060.tif 000005
【図５】
0004767060.tif 000006
【図６】
0004767060.tif 000007
【図７】
0004767060.tif 000008
【図８】
0004767060.tif 000009
【図９】
0004767060.tif 000010
【図１０】
0004767060.tif 000011
【図１１】
0004767060.tif 000012
【図１２】
0004767060.tif 000013
【図１３】
0004767060.tif 000014